(57)【要約】【課題】樋支持具本体の前後方向のスライド移動の固定を簡易な構成で実現する軒樋支持具を提供する。【解決手段】軒先に固定される固定部２と、該固定部から前方へ突出する取付杆３と、該取付杆にスライド部４を介して前後方向にスライド移動可能に連結され、軒樋８の耳部８１，８１を保持する耳保持部６１，６１を有する樋支持具本体６とを備える軒樋支持具１において、前記取付杆は、リップ溝形に形成されて下面部３ｃが前後方向に開口したレール部３１を有し、該レール部を通して前記取付杆に少なくとも２以上の前記スライド部が前後方向と直交する幅方向に並んで吊り下げられ、該スライド部は上下方向に延びた垂下片４１を有し、一方の前記スライド部の前記垂下片に開設された挿通孔４２と、他方の前記スライド部の前記垂下片に開設された前記挿通孔とが幅方向に並んだ状態で挿通される固定具７によって締結されることで、前記取付杆に固定されて、前記樋支持具本体が前記取付杆に連結される。【選択図】図１
2020159166.tif 000002
【特許請求の範囲】
【請求項１】
軒先に固定される固定部と、該固定部から前方へ突出する取付杆と、該取付杆にスライド部を介して前後方向にスライド移動可能に連結され、軒樋の耳部を保持する耳保持部を有する樋支持具本体とを備える軒樋支持具において、
前記取付杆は、リップ溝形に形成されて下面部が前後方向に開口したレール部を有し、該レール部を通して前記取付杆に少なくとも２以上の前記スライド部が前後方向と直交する幅方向に並んで吊り下げられ、該スライド部は上下方向に延びた垂下片を有し、一方の前記スライド部の前記垂下片に開設された挿通孔と、他方の前記スライド部の前記垂下片に開設された前記挿通孔とが幅方向に並んだ状態で挿通される固定具によって締結されることで、前記取付杆に固定されて、前記樋支持具本体が前記取付杆に連結されることを特徴とする軒樋支持具。
【請求項２】
請求項１において、
前記スライド部が吊り下げられている部分の前記取付杆の前記下面部を覆うように係合する締結補助部材をさらに備え、該締結補助部材は幅方向内方に向けて凹んだ凹所が形成されており、前記締結補助部材が前記取付杆に係合されている状態では、前記凹所と前記レール部との間に前記スライド部の前記垂下片が挿通する間隙が形成されることを特徴とする軒樋支持具。
【請求項３】
請求項１又は２において、
前記樋支持具本体は、線対称形状に加工形成した板材を折曲して形成されていることを特徴とする軒樋支持具。
【発明の詳細な説明】
【技術分野】
【０００１】
本発明は、軒先に固定される固定部と、固定部から前方へ突出する取付杆と、取付杆にスライド部を介して前後方向にスライド移動可能に連結され、軒樋の耳部を保持する耳保持部を有する樋支持具本体とを備える軒樋支持具に関する。
【背景技術】
【０００２】
従来より、樋支持具本体の前後方向の位置を調整して樋支持具本体のスライド移動をロックする軒樋支持具が知られている（たとえば、特許文献１）。このような軒樋支持具では、ロックレバーを横方向に回転させることにより、ロックレバーの基板部がストッパー座金の膨出部に乗り上げ、基板部のロック凹部に膨出部のへそ部が入り込み、かつストッパー座金の係止片が凹凸部の凹部に入りこみ係止されることで、樋支持具本体の前後方向のスライドを固定することができる。
【先行技術文献】
【特許文献】
【０００３】
【特許文献１】特開２０１８−３３７０号公報
【発明の概要】
【発明が解決しようとする課題】
【０００４】
しかしながら、特許文献１のような軒樋支持具は、各部材が凹凸加工や切り起こし加工等の複雑な加工を施されることで樋支持具本体のスライド移動のロック機構が構成されている。そのため、各部材の複雑な加工やロック機構が正常に動作するための細かい調整により、コストがかかってしまう。
【０００５】
本発明は、このような事情を考慮して提案されたもので、その目的は、樋支持具本体の前後方向のスライド移動の固定を簡易な構成で実現する軒樋支持具を提供することにある。
【課題を解決するための手段】
【０００６】
上記目的を達成するために、請求項１に記載の軒樋支持具は、軒先に固定される固定部と、該固定部から前方へ突出する取付杆と、該取付杆にスライド部を介して前後方向にスライド移動可能に連結され、軒樋の耳部を保持する耳保持部を有する樋支持具本体とを備える軒樋支持具において、前記取付杆は、リップ溝形に形成されて下面部が前後方向に開口したレール部を有し、該レール部を通して前記取付杆に少なくとも２以上の前記スライド部が前後方向と直交する幅方向に並んで吊り下げられ、該スライド部は上下方向に延びた垂下片を有し、一方の前記スライド部の前記垂下片に開設された挿通孔と、他方の前記スライド部の前記垂下片に開設された前記挿通孔とが幅方向に並んだ状態で挿通される固定具によって締結されることで、前記取付杆に固定されて、前記樋支持具本体が前記取付杆に連結されることを特徴とする。
【０００７】
請求項２に記載の軒樋支持具は、前記スライド部が吊り下げられている部分の前記取付杆の前記下面部を覆うように係合する締結補助部材をさらに備え、該締結補助部材は幅方向内方に向けて凹んだ凹所が形成されており、前記締結補助部材が前記取付杆に係合されている状態では、前記凹所と前記レール部との間に前記スライド部の前記垂下片が挿通する間隙が形成されることを特徴とする。
【０００８】
請求項３に記載の軒樋支持具は、前記樋支持具本体は、線対称形状に加工形成した板材を折曲して形成されていることを特徴とする。
【発明の効果】
【０００９】
請求項１に記載の軒樋支持具は、上述した構成とされているため、簡易な構成でスライド部を取付杆に固定することができる。
【００１０】
請求項２に記載の軒樋支持具は、上述した構成とされているため、より強固にスライド部を取付杆に固定することができる。
【００１１】
請求項３に記載の軒樋支持具は、上述した構成とされているため、より広い面で軒樋を支持することが可能となり、樋支持具本体の強度を増すことができる。
【図面の簡単な説明】
【００１２】
【図１】は、第１実施形態における軒樋支持具の分解斜視図である。
【図２】（ａ）は、取付杆にスライド部が挿入される前の状態の平面図、（ｂ）は、取付杆にスライド部が挿入された状態の正面図、（ｃ）は、スライド部が固定具によって締結された状態の正面図、（ｄ）は、（ｂ）のＡ−Ａ矢視線図における断面図、（ｅ）は、（ｃ）のＢ−Ｂ矢視線図における断面図である。
【図３】は、第２実施形態における軒樋支持具の分解斜視図である。
【図４】（ａ）（ｂ）は、取付杆と締結補助部材の関係を示す説明図、（ｃ）は、スライド部が取付杆に固定される態様の説明図、（ｄ）は、スライド部が固定具によって締結された状態の正面図である。
【図５】（ａ）は、第３実施形態における軒樋支持具の分解斜視図、（ｂ）は、スライド部が固定具によって締結された状態の正面図である。
【図６】（ａ）は、樋支持具本体の第１変形例を示す斜視図、（ｂ）は、（ａ）の展開図、（ｃ）は、樋支持具本体の第２変形例を示す斜視図、（ｄ）は、（ｃ）の展開図である。
【図７】（ａ）は、樋支持具本体の第３変形例を示す斜視図、（ｂ）は、樋支持具本体の第４変形例を示す斜視図である。
【発明を実施するための形態】
【００１３】
以下に、本発明の実施の形態について図面に基づいて説明する。まず、軒樋支持具の基本構成について説明する。なお、軒樋支持具が軒先に固定されている状態を基準にして、前後方向（軒先から離れる方向を前方向、軒先に近づく方向を後ろ方向）、前後方向に直交する方向である幅方向（軒先に対する見付の方向と一致する方向）、上下方向等を規定する。また、一部の図では、他図に付している詳細な符号の一部を省略している。
【００１４】
図１に示す軒樋支持具１は、軒先に固定される固定部２と、固定部２から前方へ突出する取付杆３と、取付杆３にスライド部４を介して前後方向にスライド移動可能に連結され、軒樋８の耳部８１，８１を保持する耳保持部６１，６１を有する樋支持具本体６とを備える。取付杆３は、リップ溝形に形成されて下面部３ｃが前後方向に開口したレール部３１を有し、レール部３１を通して取付杆３に少なくとも２以上のスライド部４が幅方向に並んで吊り下げられている。スライド部４は上下方向に延びた垂下片４１を有し、一方のスライド部４の垂下片４１に開設された挿通孔４２と、他方のスライド部４の垂下片４１に開設された挿通孔４２とが幅方向に並んだ状態で挿通される固定具７によって締結されることで、取付杆３に固定されて、樋支持具本体６が取付杆３に連結される。以下、詳しく説明する。なお、本明細書における取付杆３のリップ溝形とは、上面部３ａの幅方向両端から下方に延びて形成された側面部３ｂ，３ｂと、側面部３ｂ，３ｂの下端部から幅方向内方に延びた下面部３ｃ，３ｃと、下面部３ｃ，３ｃ間に前後方向に開口したレール部３１と、開口した前面３ｄとを有した形状であるが、後述する第３実施形態の取付杆３の係合部３ｆのように、さらに別要素が付加された構成の形状であってもよい。
【００１５】
軒樋支持具１を構成する部材である固定部２、取付杆３、スライド部４、樋支持具本体６は、同一の材質、厚みの金属製の板材を加工して形成されている。また固定部２、取付杆３は一体に形成されている。
【００１６】
固定部２は、軒先に固定させるための固着具が挿通される複数の挿通孔２１が開設された全体が板状の部材である。また、固定部２０の上端部には折曲されて取付杆３が前方に突出して形成されている。取付杆３の上面部３ａの後端部から固定部２の下端部まで補強用のリブ３２が形成されている。
【００１７】
取付杆３は、固定部２から前方向に延びた長尺状の部材であり、板材を幅方向に折曲してリップ溝形に形成されており、上面部３ａの幅方向両端から下方に延びて形成された側面部３ｂ，３ｂと、側面部３ｂ，３ｂの下端部から幅方向内方に延びた下面部３ｃ，３ｃと、下面部３ｃ，３ｃ間に前後方向に開口したレール部３１と、開口した前面３ｄとを有している。取付杆３は、上面部３ａ、側面部３ｂ、下面部３ｃに囲まれた内部空間Ｓを有する。
【００１８】
軒樋支持具１は、１対のスライド部４，４を備えている。スライド部４は上下方向に延びた垂下片４１と、垂下片４１の下方側に幅方向に開設された挿通孔４２と、スライド部４の一方の側端面４ａの上部に幅方向に延びた突出片４３と、突出片４３の幅方向先端部から前後方向に延びた支持片４４とを有する。これにより、スライド部４は平面視してコ字状になっている。また、突出片４３と支持片４４とは、上下寸法が同じに形成され、取付杆３の前面３ｄの開口から内部空間Ｓ内に挿入可能な大きさに形成されている。これにより、スライド部４，４は、突出片４３と支持片４４が取付杆３の下面部３ｃに引っ掛かることで、レール部３１を通して取付杆３に吊り下げられる。また、挿通孔４２は、スライド部４が取付杆３に吊り下げられた状態で、取付杆３の下面部３ｃより下方に位置するように開設されている。
【００１９】
樋支持具本体６は、全体が板状の部材であり、軒樋８の前後の耳部８１，８１を保持する耳保持部６１，６１が形成されている。また、樋支持具本体６の前後方向の中央付近には上方に突出した山型の突出片６２が形成され、突出片６２には幅方向に開設された挿通孔６３が形成されている。樋支持具本体６は端面が上下方向を向くように取付杆３の下方に配置される。
【００２０】
次に取付杆３にスライド部４を介して樋支持具本体６を連結させる方法について、図２を参照して説明する。
【００２１】
図２（ａ）に示すように、スライド部４，４は、互いの突出片４３の内面４３ｄに、突出片４３が形成されていない他方の側端面４ｂが接するように互い違いに配され、突出片４３，４３が前後方向を向いた状態で、取付杆３の前面３ｄから内部空間Ｓに挿入される。このとき、スライド部４，４の垂下片４１，４１は、取付杆３のレール部３１内を前後方向に通れるように配されている（図２（ｂ）、（ｄ）参照）。これにより、スライド部４，４は、取付杆３に対して前後方向にスライド可能となる。
【００２２】
スライド部４，４が取付杆３の前後方向の所望の位置に配されたら、スライド部４，４の挿通孔４２，４２間に、樋支持具本体６の挿通孔６３が幅方向に並ぶように配する。この状態で、固定具７であるボルト７ａをスライド部４，４の挿通孔４２，４２と樋支持具本体６の挿通孔６３に通し、蝶ナット７ｂで締結する（図２（ｃ）参照）。スライド部４，４は、垂下片４１，４１が幅方向内方に互いに近づくように、突出片４３，４３が幅方向外方に互いに遠ざかるように移動する。そして固定具７の締結により、スライド部４，４の支持片４４，４４は、対向する取付杆３の側面部３ｂ，３ｂの内面３ｂａ，３ｂａを押圧して固定される（図２（ｅ）参照）。前後方向の位置を再調整する場合には、固定具７の締結を緩め、スライド部４，４と樋支持具本体６とが連結された状態を維持して前後方向の位置を再調整すればよい。なお、スライド部４，４が取付杆３の内部空間Ｓに挿入されたら、取付杆３の前面３ｄの開口を蓋体（不図示）で塞いでもよい。そして、樋支持具本体６の耳保持部６１，６１に軒樋８の耳部８１，８１を保持させることで、軒樋８は軒樋支持具１によって軒先に固定される。
【００２３】
上述の説明では、スライド部４，４は、樋支持具本体６と連結されていない状態で取付杆３の前方から内部空間Ｓに挿入されているが、スライド部４，４が、樋支持具本体６と固定具７により緩く連結した状態で取付杆３の前方から内部空間Ｓに挿入されてもよい。そして、スライド部４，４が所望の位置に配されたら固定具７の締結を強め、取付杆３に固定されればよい。
【００２４】
次に、図３，４を参照して第２実施形態について説明する。なお、第１実施形態と共通する部分には、可能な限り同一の符号を付し、その構成及び作用・効果等の説明は省略する。
【００２５】
第２実施形態の軒樋支持具１は、固定部２と、取付杆３と、１対のスライド部４，４と、締結補助部材５と、樋支持具本体６と、固定具７により構成されている。固定部２、取付杆３、樋支持具本体６、固定具７は、第１実施形態と同一のものが用いられるが、スライド部４の構成は第１実施形態のものとは異なる。
【００２６】
スライド部４は、上下方向に延びた垂下片４１と、垂下片４１の下方側に幅方向に開設された挿通孔４２と、スライド部４の一方の側端面４ａの上部と、他方の側端面４ｂの上部とに、それぞれ幅方向外方に延びた突出片４３，４３を有する。これにより、スライド部４は平面視してコ字状になっており、突出片４３は、上下寸法が取付杆３の前面３ｄの開口から内部空間Ｓ内に挿入可能な大きさに形成されている。スライド部４は、突出片４３，４３が取付杆３の下面部３ｃに引っ掛かることで、レール部３１を通して取付杆３に吊り下げられる。
【００２７】
締結補助部材５は、金属製の板材を加工して形成されており、樋支持具本体６等と同一の材質、厚みの板材で形成されている。締結補助部材５の本体部５０は、平板部分が上下方向を向いて取付杆３に配され、本体部５０の幅方向内方に向けて凹んだ凹所５１，５１が形成されている。締結補助部材５が取付杆３に係合されている状態では、凹所５１，５１とレール部３１との間にスライド部４の垂下片４１が挿通する間隙が形成される寸法で、凹所５１は凹んで形成されている（図４（ａ）（ｂ）参照）。そして、凹所５１の突き当り部分には、幅方向内方に向けて下方に傾斜した垂下片５１ａが形成されている。凹所５１が形成されていない本体部５０の幅方向両端部には、上方向に延びて保持部５２が形成されている。保持部５２の先端には、幅方向内方に向けて突出した爪部５３が形成されている。図４（ａ）の正面図、（ｂ）の底面図に示すように、凹所５１の前後方向の開口幅は、スライド部４の垂下片４１が通る大きさで形成されている。そして、本体部５０と保持部５２と爪部５３に囲まれた部分に、取付杆３が前後方向に挿入可能な大きさに形成されており、締結補助部材５は、爪部５３によって取付杆３の上面部３ａに吊り下げられる。
【００２８】
次に取付杆３にスライド部４を介して樋支持具本体６を連結させる方法について説明する。
【００２９】
締結補助部材５の凹所５１，５１にスライド部４，４の垂下片４１，４１を挿入した状態で、取付杆３の前方から内部空間Ｓにスライド部４，４を挿入させる。このとき、スライド部４，４の垂下片４１，４１は、取付杆３のレール部３１内を前後方向に通れるように配されている。スライド部４，４が取付杆３の前後方向の所望の位置に配されたら、スライド部４，４の挿通孔４２，４２間に、樋支持具本体６の挿通孔６３が幅方向に並ぶように配する。この状態で、固定具７であるボルト７ａをスライド部４，４の挿通孔４２，４２と樋支持具本体６の挿通孔６３に通し、蝶ナット７ｂで締結する。固定具７による締結のような幅方向内方への力（図４（ｃ）に示す白抜矢印）が垂下片４１の下方にかかることにより、スライド部４，４は、締結補助部材５の凹所５１の突き当たり部分や垂下片５１ａ，５１ａ付近を支点にして、正面視して逆ハの字に開くような力がかかる（図４（ｃ）における二点鎖線で示したスライド部４，４）。これにより、スライド部４，４の突出片４３，４３が取付杆３と接触している部位（側面部３ｂの内面３ｂａ等）を押圧し、スライド部４，４が取付杆３に固定される（図４（ｄ）参照）。
【００３０】
次に第３実施形態について、図５を参照して説明する。なお、第１実施形態と共通する部分には、可能な限り同一の符号を付し、その構成及び作用・効果等の説明は省略する。
【００３１】
第３実施形態の軒樋支持具１は、固定部２と、取付杆３と、１対のスライド部４，４と、樋支持具本体６と、固定具７により構成されている。取付杆３は、上面部３ａ、側面部３ｂ，３ｂ、下面部３ｃ，３ｃの構成は第１実施形態と同様であるが、下面部３ｃ，３ｃの幅方向内方の端部から、上方へ延びた内壁面部３ｆａ，３ｆａと、内壁面部３ｆａ，３ｆａの上端部から幅方向外方に延びた突出面部３ｆｂ，３ｆｂとにより構成された係合部３ｆが形成されている。レール部３１は、下面部３ｃ，３ｃ間及び内壁面部３ｆａ，３ｆａ間に形成されている。スライド部４は、上面部３ａ、側面部３ｂ、下面部３ｃ、係合部３ｆに囲まれた内部空間Ｓに挿通されるように、スライド部４の上端から幅方向外方に延びた上面部４３ａと、上面部４３ａの幅方向外端部から下方向に延びた側面部４３ｂと、側面部４３ｂの下端部から幅方向内方に延びた下面部４３ｃとにより構成された突出片４３を有する。これにより、図５（ｂ）に示すように、スライド部４，４は前方から取付杆３の内部空間Ｓに収容可能である。また、スライド部４は、突出片４３が係合部３ｆに係合されることで、レール部３１を通して取付杆３に吊り下げられる。そして、固定具７によってスライド部４，４が締結されることにより、突出片４３，４３が係合部３ｆを押圧し、スライド部４，４は取付杆３に固定される。
【００３２】
上記各実施形態では、軒樋支持具１を構成する各部材は、同一の材質、厚みの金属製の板材を加工して形成されているが、これに限定されることはなく、金属製以外の材質であってもよく、各部材ごとに材質や厚みが異なっていてもよい。また、板材以外から形成されてもよい。軒樋支持具１を構成する各部材の形状や構成も上述したものに限定されることはなく、例えば、固定部２と取付杆３は一体に形成されていなくてもよい。また、取付杆３とスライド部４とが接触する部分の表面に微小凹凸加工やゴム材を設ける等の滑り止め加工が施されてもよい。樋支持具本体６は、軒樋８を吊り支持する吊具として図示しているが、軒樋８を受け支持する受け具であってもよい。締結補助部材５は、上述した形状に限定されることはなく、例えば垂下片５１ａや爪部５３が形成されていなくてもよい。
【００３３】
次に樋支持具本体６の変形例について図６、７を参照して説明する。
【００３４】
図６（ａ）に示す第１変形例の樋支持具本体６は、（ｂ）に示すような中心線Ｃを中心にして線対称形状に加工形成された板材を、中心線Ｃに沿って折曲されて形成されている。これにより、樋支持具本体６は正面視してＶ字状に開いて形成されている。なお、前後の耳保持部６１，６１との間の本体部６０の後端部６０ａには、弾性部材６５が配されてもよい。弾性部材６５は、幅方向の両端から内方に切り込み６５ｃを形成し、切り込み６５ｃに沿って基部６５ａとなる側を折曲する。これにより弾性部材６５は、正面視してＶ字状に開いた基部６５ａと、基部６５ａから後方向に延び、上下方向に弾性変形する板状のバネ部６５ｂとで構成される。基部６５ａが樋支持具本体６の本体部６０，６０に挟持・固着されることで、弾性部材６５は、樋支持具本体６に設けられる。これにより、後ろ側の耳保持部６１に保持されている軒樋８の後ろ側の耳部８１が脱落しにくくなる。なお、弾性部材６５の構成は上述のものに限定されることはない。
【００３５】
図６（ｃ）に示す第２変形例の樋支持具本体６は、（ｄ）に示すような中心線Ｃを中心にして線対称形状に加工形成された板材を、中心線Ｃから幅方向両側に等距離離れた折曲線Ｄ，Ｄ（図６（ｄ）に示す一点鎖線）に沿って折曲されて形成されている。樋支持具本体６は、下面６４の幅方向の両端面から、本体部６０，６０が上方向に起立するように折曲されている。なお、下面６４の後端部６４ａには、板状の弾性部材６５が固着されてもよい。これにより、後ろ側の耳保持部６１に保持されている軒樋８の後ろ側の耳部８１が脱落しにくくなる。
【００３６】
図６（ａ）〜（ｄ）に示す第１、第２変形例の樋支持具本体６は、軒樋８と接触する面積が増えることで荷重が分散され、樋支持具本体６に軒樋８がより安定して保持される。また、樋支持具本体６の強度が増す。第１、第２変形例の樋支持具本体６は、図１〜図５に示す各実施形態の軒樋支持具１に適用することが可能である。
【００３７】
図７（ａ）に示す第３変形例である樋支持具本体６は、第１実施形態の樋支持具本体６と一方のスライド部４が一体に形成されたような構成となっている。詳しく説明すると、樋支持具本体６は、前後方向の中央付近から第１実施形態の突出片６２に代わり上方に突出するスライド部４が形成されている。スライド部４は上下方向に延びる垂下片４１と、垂下片４１に幅方向に開設された挿通孔４２と、スライド部４の一方の側端面４ａの上部に幅方向に延びた突出片４３と、突出片４３の幅方向先端部から前後方向に延びた支持片４４とを有する。樋支持具本体６と一体に形成されていない他方のスライド部４’は、第１実施形態のスライド部４と同様の構成である。スライド部４，４’は、互いの突出片４３の内面４３ｄに、突出片４３が形成されていない他方の側端面４ｂが接するように互い違いに配される。取付杆３への固定方法は、第１実施形態と同様である。
【００３８】
図７（ｂ）に示す第４変形例では、第３変形例のスライド部４と一体に形成された樋支持具本体６に加え、他方のスライド部４’も樋支持具本体６’と一体に形成された構成となっている。スライド部４，４’は、互いの突出片４３の内面４３ｄに、突出片４３が形成されていない他方の側端面４ｂが接するように互い違いに配されるように、樋支持具本体６，６’に形成されている。
【００３９】
図７（ａ）（ｂ）に示したスライド部４，４’は、第１実施形態のスライド部４と同様の構成であるが、これに限定されることはない。例えば、軒樋支持具１が第２実施形態のような締結補助部材５を備える構成であれば、スライド部４，４’は第２実施形態のスライド部４，４と同様の構成であってもよい。また、取付杆３が第３実施形態のように係合部３ｆを備える構成であれば、スライド部４，４’は、第３実施形態のスライド部４，４と同様の構成であってもよい。これにより、軒樋支持具１を構成する部材の点数を少なくすることができる。
【符号の説明】
【００４０】
１      軒樋支持具
２      固定部
３      取付杆
３ｃ    下面部
３１    レール部
４      スライド部
４１    垂下片
４２    挿通孔
５      締結補助部材
５１    凹所
６      樋支持具本体
６１    耳保持部
７      固定具
８      軒樋
８１    耳部
【図１】
2020159166.tif 000003
【図２】
2020159166.tif 000004
【図３】
2020159166.tif 000005
【図４】
2020159166.tif 000006
【図５】
2020159166.tif 000007
【図６】
2020159166.tif 000008
【図７】
2020159166.tif 000009